(57)【特許請求の範囲】
【請求項１】
１個又は２個以上の貫通孔を鉛直方向に設けた普通コンクリートブロック部に、前記貫通孔を充填閉塞すると共に、前記普通コンクリートブロック部に対して上部層となる連続空隙を有する多孔質コンクリートブロック部を、一体的に接合した構造からなり、普通コンクリートブロック部と多孔質コンクリートブロック部が鉄筋を介して強固に連結されていることを特徴とするコンクリート製緑化護岸用ブロック。
【請求項２】
多孔質コンクリートブロック部の空隙に、培地材と種子が充填されていることを特徴とする請求項１記載のコンクリート製緑化護岸用ブロック。
【請求項３】
多孔質コンクリートブロック部の外周に連結用切り欠け部が設けられ、該切り欠け部によって露出した普通コンクリートブロック部に、プレートを介してボルトでブロック相互を固定するためのインサートが埋設されていることを特徴とする請求項１又は２記載のコンクリート製緑化護岸用ブロック。
【発明の詳細な説明】
【０００１】
【発明の属する技術分野】
本発明は、河川あるいは海岸等における法面の護岸と緑化とを兼ね備えたコンクリート製緑化護岸用ブロックに関するものである。
【０００２】
【従来の技術】
近年、河川や海岸等の法面の護岸には緑化と護岸を兼ね備えた多自然型工法が採用されるようになり、多孔質コンクリートを使用した各種の工法が開発されている。しかし、法面緑化に主眼をおいた場合、緑化のために多孔質コンクリートの空隙容積を大きくするので護岸ブロックとして必要な強度や重量が得にくくなると云う問題があった。
逆に、護岸に主眼をおいた場合、多孔質コンクリートの空隙容積が小さくなり、植生に必要な培地材や種子の充填あるいは植物の根の伸長等が阻害されてしまう、と云う問題があった。
【０００３】
これらの問題を解決するために例えば、特開平５−２９５７１４号などには、多孔質コンクリートブロック部の支持或いは補強のため周囲に普通コンクリートによる基礎枠等を形成する方法が開示されている。しかしながら、この普通コンクリートによる基礎枠等は、施工後も表面に出るためにその部分の緑化ができず、多孔質コンクリートブロック部の植物が伸長しないと、全面緑化には至らないのが実状であった。
【０００４】
一方、特開平５−９８６５４号には、コンクリートブロックのコンクリート色を露出させず、表面全体を緑化するために、ポーラスコンクリート層をプレキャストコンクリートブロック本体の表面に一体に備えてなる緑化用コンクリートブロックが開示されている。
しかしながら、この緑化用コンクリートブロックは、ポーラスコンクリート層がプレキャストコンクリートブロック本体の表面にのみ備えてあるために保水性は高まるが、大量の降雨の後は水はけが悪くなり、過剰な水分がポーラスコンクリート層に蓄積されるので、植物の根腐れ等が危惧される。
【０００５】
【発明が解決しようとする課題】
本発明は、以上のような現況を鑑み、緑化と護岸の双方の機能を満たし、特に護岸表面全体を緑化できるコンクリート製緑化護岸用ブロックを提供することを目的とする。
【０００６】
【課題を解決するための手段】
本発明は、１個又は２個以上の貫通孔を鉛直方向に設けた普通コンクリートブロック部に、前記貫通孔を充填閉塞すると共に、前記普通コンクリートブロック部に対して上部層となる連続空隙を有する多孔質コンクリートブロック部を、一体的に接合した構造からなり、普通コンクリートブロック部と多孔質コンクリートブロック部が鉄筋を介して強固に連結されていることを特徴とするコンクリート製緑化護岸用ブロックにより、普通コンクリートブロックで護岸としての強度を、また多孔質コンクリートでブロックの空隙内に土壌改良材、保水材、肥料等を混合した培地材及び種子を充填して、植生機能を持たせたものである。
【０００７】
【発明の実施の形態】
以下、本発明の実施の形態を図面に基づき、詳細に説明する。
本発明のコンクリート製緑化護岸用ブロック１は、図１から図３に示すとおり上部の多孔質コンクリートブロック部２と、下部の貫通孔３を鉛直方向に設けた普通コンクリートブロック部４とを一体的に接合した構造からなっており、当該貫通孔３は多孔質コンクリートブロック部２により充填閉塞されていると共に、両コンクリート部２，４は鉄筋等５を介して、強固に連結されている。多孔質コンクリートブロック部２は、例えば２．５〜４０mm程度の砕石等の粗骨材からなる骨材６をセメント等で接着・硬化させたものであるが、骨材６は直径が同程度の軽石、粘土の焼成品、軽量骨材を使用してもよい。多孔質コンクリートブロック部２の空隙率は、連続空隙を有するものであれば特に限定はされないが、植物の根の張り易さや毛細管現象による水分吸い上げ性能を考慮すれば２０〜４０％程度が望ましい。この空隙には、種子７及び土にパーライトを混合したもの、土壌改良材、吸水性ポリマー等の保水材、肥料等を混合した培地材８が充填されている。
【０００８】
コンクリート製緑化護岸用ブロック１の厚さは１０〜４０cm程度とし、多孔質コンクリートブロック部２と普通コンクリートブロック部４の厚さの比率は、空隙に充填する培地材の量及び培地材の吸水量を考慮して１：１程度が確保されていることが望ましい。
【０００９】
護岸等に使用する場合は、護岸対象斜面をパワーショベル等で整形し底辺部分に基礎コンクリートを打設して、図４に示す法止工９を形成してからコンクリート製緑化護岸用ブロック１を敷設する。コンクリート製緑化護岸用ブロック１同士の連結は、多孔質コンクリートブロック部２の外周に切り欠け部１０を設け、露出した普通コンクリートブロック部４に、図５に示すとおりあらかじめ埋設したインサート１１間にプレート１２等を介してボルト１３でブロック相互を固定し、連結部１４を形成することによって行なわれる。この連結部１４には、多孔質コンクリートブロック部２が設けられていないため、そのままでは緑化できないが連結作業終了後に培地材等を詰めた土嚢等を入れてもよい。
【００１０】
コンクリート製緑化護岸用ブロック１は敷設時には、多孔質コンクリートブロック部２に種子７及び培地材８が充填されているので、敷設後図６に示すとおり雨水や地盤の水分を多孔質コンクリートブロック部２を通じて毛細管現象で吸い上げることで空隙内に保水され、種子は十分に水分を得て発芽し、生長していくことができる。さらに大量の降雨後の過剰な水分は、普通コンクリートブロック部４に設けられた貫通孔３を通じて地盤に浸透させるので、多孔質コンクリートブロック部２は、植物に適度な水分環境を保った状態となる。
【００１１】
さらに、多孔質コンクリートブロック部２を普通コンクリートブロック部４の上部に接合させたことにより護岸としての強度を持つため、法枠ブロック等を周囲に敷設しなくてよいので、法面全体に緑化を行なうことができる。
【００１２】
なお普通コンクリートブロック部４に設ける貫通孔３は、１ｍ角の大きさのコンクリート製緑化護岸用ブロック１の場合、直径１５〜２０cm程度の孔が５個ほど設けられているのが望ましいが、施工場所の状態により直径５〜５０cm程度の孔が強度を維持できる間隔で１個又は２個以上設けられていればよい。そして貫通孔３の底部には培地材８が貫通孔３から漏れるのを防止するため、図８に示すとおり不織紙１５等を張り付け、さらに施工後の風雨によって培地材８や種子７が流出するのを防止するため、多孔質コンクリートブロック部２の表面に酢酸ビニルエマルジョンやポリビニルアルコール等を吹きつけておくのが好ましい。特に側面はモルタルなどの無機質系の固化材・テープ・不織紙等を張り付けてもよい。
【００１３】
【発明の効果】
本発明に係るコンクリート製緑化護岸用ブロックは以上のような構成であるから、上部の多孔質コンクリートブロック部で護岸表面全体を緑化して水辺を自然環境に近づけつつ、下部の普通コンクリートブロック部で強固に護岸を行なうことができると共に、普通コンクリートブロック部に設けた貫通孔を介して多孔質コンクリートブロック部の培地材の水分環境を、植物に適度な状態に保つことができる。
【図面の簡単な説明】
【図１】本発明に係るコンクリート製緑化護岸用ブロックの一実施態様例を示す斜視説明図である。
【図２】図１に示したコンクリート製緑化護岸用ブロックの背面説明図である。
【図３】図１に示したコンクリート製緑化護岸用ブロックのＡ−Ａ断面説明図である。
【図４】本発明に係るコンクリート製緑化護岸用ブロックを法面に設置したときの斜視説明図である。
【図５】図４の連結部拡大断面説明図。
【図６】本発明に係るコンクリート製緑化護岸用ブロックに植物が生長したときの断面説明図である。
【図７】本発明に係るコンクリート製緑化護岸用ブロックの他の実施態様例を示す背面説明図である。
【図８】図７に示したコンクリート製緑化護岸用ブロックのＢ−Ｂ断面説明図である。
【符号の説明】
１：コンクリート製緑化護岸用ブロック
２：多孔質コンクリートブロック部
３：貫通孔
４：普通コンクリートブロック部
５：鉄筋
６：骨材
７：種子
８：培地材
９：法止工
１０：切り欠け部
１１：インサート
１２：プレート
１３：ボルト
１４：連結部
１５：不織紙
【図１】
0003701429.tif 000002
【図２】
0003701429.tif 000003
【図３】
0003701429.tif 000004
【図４】
0003701429.tif 000005
【図５】
0003701429.tif 000006
【図６】
0003701429.tif 000007
【図７】
0003701429.tif 000008
【図８】
0003701429.tif 000009